(57)【要約】【課題】屋根裏に換気装置を設けなくても、屋根裏を好適に換気することができる建物の換気設備を提供する。【解決手段】  集合住宅１０は一階部分１１と二階部分１２とを有しており、二階部分１２には複数の二階住戸１６が横並びに設けられている。二階住戸１６は、居住空間２３〜２５と、その上方に設けられた屋根裏空間４８とを備える。二階住戸１６には、浴室２５の天井裏に換気装置４１が設けられている。換気装置４１は、その内部に排気ファン４６を有する。換気装置４１には屋外に通じる排気ダクト４２が接続されており、排気ファン４６を作動させると浴室２５の空気が排気ダクト４２を通じて屋外に排出される。また、排気装置４１には、屋根裏空間４８に通じる屋根裏ダクト６１が接続されている。屋根裏空間４８の空気は屋根裏ダクト６１を通じて排気装置４１へ導かれる。【選択図】図２
2015203547.tif 000002
【特許請求の範囲】
【請求項１】
居住空間の上方に屋根裏空間が設けられた建物に適用され、
前記居住空間から屋外へ通じる排気通路と、
前記排気通路に設けられ、前記居住空間の空気を当該排気通路を通じて屋外へ排出する排気装置とを備える建物の換気設備であって、
前記排気通路には、前記屋根裏空間に通じる屋根裏通路が接続されており、
前記屋根裏空間の空気は前記屋根裏通路を通じて前記排気通路へと導かれることを特徴とする建物の換気設備。
【請求項２】
前記屋根裏通路は、前記排気装置によって生じる前記排気通路内の空気流れ方向における当該排気装置よりも上流側で前記排気通路と接続されていることを特徴とする請求項１に記載の建物の換気設備。
【請求項３】
前記排気通路は、その空気の取込口が前記居住空間としての浴室、洗面室又はトイレのうちいずれかに設定されており、
前記排気装置は、前記取込口を介して前記浴室、前記洗面室又は前記トイレの空気を前記排気通路に取り込み、それを当該排気通路を通じて屋外へ排出するものであり、
前記屋根裏通路は当該排気通路に接続されていることを特徴とする請求項１又は２に記載の建物の換気設備。
【請求項４】
前記建物は、横並びに設けられた複数の住戸を備える集合住宅であり、
前記各住戸はそれぞれ前記居住空間及び前記屋根裏空間を有しており、
前記集合住宅の屋根部では、前記各住戸の屋根裏空間が横並びで配置されているとともに界壁によって互いに仕切られており、
前記各住戸の居住空間ごとに前記排気通路及び前記排気装置が設けられており、
前記各住戸の屋根裏空間ごとに前記屋根裏通路が設けられていることを特徴とする請求項１乃至３のいずれか一項に記載の建物の換気設備。
【請求項５】
前記屋根部には、前記各住戸の屋根裏空間に屋外の空気を取り込むための外気取込口が設けられており、
前記外気取込口は、平面視にて、前記住戸の屋根裏空間における前記各住戸の並ぶ方向と直交する方向の一方側に配置され、
前記屋根裏通路は、その通路端開口が、平面視にて、前記住戸の屋根裏空間における前記直交する方向の他方側にて開口されていることを特徴とする請求項４に記載の建物の換気設備。
【請求項６】
前記集合住宅には、前記各住戸の居住空間を囲むように外壁が設けられており、
前記排気通路は、前記集合住宅において前記直交する方向の前記他方側に配置された外壁に向けて延びており、かつ当該外壁に設けられた排気口に接続されており、
前記屋根裏通路は、当該排気通路に接続されていることを特徴とする請求項５に記載の建物の換気設備。
【請求項７】
前記集合住宅は、前記各住戸の並ぶ方向に沿って延びるとともに、それら各住戸に通じる共用廊下を備え、
前記共用廊下は、前記排気口が設けられた前記外壁に隣接して設けられており、
前記屋根部は、前記共用廊下の上方に張り出した屋根張出部を有しており、
前記屋根張出部には、前記共用廊下上の屋根裏空間が形成されており、
前記共用廊下上の屋根裏空間は、前記共用廊下に沿って延びており、前記各住戸の屋根裏空間とそれぞれ隣接しており、
前記屋根部には、前記各住戸の屋根裏空間と前記共用廊下上の屋根裏空間とを仕切る耐火壁部が設けられていることを特徴とする請求項６に記載の建物の換気設備。
【発明の詳細な説明】
【技術分野】
【０００１】
本発明は、建物の換気設備に関する。
【背景技術】
【０００２】
住宅等の建物では、屋根裏（小屋裏）に熱気や湿気が滞留しないようにするために、屋根裏において換気を行っている（例えば特許文献１参照）。屋根部には、屋根裏と屋外とを連通する換気口が設けられており、この換気口を介して屋根裏の換気が行われるようになっている。また、屋根裏の換気は、温度差や気圧差等によって生じる自然対流により行われるのが一般的である。
【先行技術文献】
【特許文献】
【０００３】
【特許文献１】特開２００８−２８５９１４号公報
【発明の概要】
【発明が解決しようとする課題】
【０００４】
しかしながら、自然対流を利用して屋根裏の換気を行う上述の構成では、温度差が小さい場合や気圧差が小さい場合等、自然対流の発生しにくい環境下においては好適に換気することができないおそれがある。
【０００５】
また、屋根裏にファン等の換気装置を設け、その換気装置により屋根裏を強制換気することも考えられるが、その場合、換気装置の設置に伴いコストの増大等の不都合を招くおそれがある。
【０００６】
本発明は、上記事情に鑑みてなされたものであり、屋根裏に換気装置を設けなくても、屋根裏を好適に換気することができる建物の換気設備を提供することを主たる目的とするものである。
【課題を解決するための手段】
【０００７】
上記課題を解決すべく、第１の発明の建物の換気設備は、居住空間の上方に屋根裏空間が設けられた建物に適用され、前記居住空間から屋外へ通じる排気通路と、前記排気通路に設けられ、前記居住空間の空気を当該排気通路を通じて屋外へ排出する排気装置とを備える建物の換気設備であって、前記排気通路には、前記屋根裏空間に通じる屋根裏通路が接続されており、前記屋根裏空間の空気は前記屋根裏通路を通じて前記排気通路へと導かれることを特徴とする。
【０００８】
本発明によれば、排気通路に設けられた排気装置（例えば排気ファン）により居住空間の空気が同通路を通じて屋外へ排出される。また、排気通路には、屋根裏空間に通じる屋根裏通路が接続され、その屋根裏通路を通じて屋根裏空間の空気が排気通路へ導かれる。この場合、排気通路へ導かれた屋根裏空間の空気はその後排気通路を通じて居住空間の空気とともに屋外に排出される。ここで、排気通路には、排気装置により屋外へと向かう空気流が生じているため、その空気流を利用して屋根裏空間の空気を排気通路へ積極的に導く（引き込む）ことができ、ひいては屋根裏空間の空気を積極的に屋外へ排出することができる。このため、自然対流の発生しにくい環境下であっても屋根裏を好適に換気することができる。また、居住空間の換気を行う換気設備（排気通路及び排気装置）を利用して屋根裏の換気を行うようにしているため、屋根裏に別途ファン等の換気装置を設けなくても、屋根裏を好適に換気することができる。
【０００９】
第２の発明の建物の換気設備は、第１の発明において、前記屋根裏通路は、前記排気装置によって生じる前記排気通路内の空気流れ方向における当該排気装置よりも上流側で前記排気通路と接続されていることを特徴とする。
【００１０】
本発明によれば、屋根裏通路が排気通路内の空気流れ方向における排気装置よりも上流側（換言すると排気装置の吸込側）で排気通路と接続されているため、屋根裏空間の空気を屋根裏通路を介して排気装置により直接排気通路へ引き込むことができる。この場合、屋根裏空間の空気をより積極的に排気通路に導くことができ、ひいては屋外に排出することができる。そのため、屋根裏をより好適に換気することができる。
【００１１】
第３の発明の建物の換気設備は、第１又は第２の発明において、前記排気通路は、その空気の取込口が前記居住空間としての浴室、洗面室又はトイレのうちいずれかに設定されており、前記排気装置は、前記取込口を介して前記浴室、前記洗面室又は前記トイレの空気を前記排気通路に取り込み、それを当該排気通路を通じて屋外へ排出するものであり、前記屋根裏通路は当該排気通路に接続されていることを特徴とする。
【００１２】
一般に、住宅等の建物では、２４時間換気を行うことが求められている。２４時間換気を行うにあたっては、浴室、洗面室又はトイレに設けられた換気設備（排気通路、排気装置）を利用することが多い。そこで本発明では、この点に着目して、かかる換気設備を利用して屋根裏空間の換気を行うようにしている。この場合、換気設備を利用した屋根裏の換気を常時行うことができるため、実用上好ましい構成といえる。
【００１３】
第４の発明の建物の換気設備は、第１乃至第３のいずれかの発明において、前記建物は、横並びに設けられた複数の住戸を備える集合住宅であり、前記各住戸はそれぞれ前記居住空間及び前記屋根裏空間を有しており、前記集合住宅の屋根部では、前記各住戸の屋根裏空間が横並びで配置されているとともに界壁によって互いに仕切られており、前記各住戸の居住空間ごとに前記排気通路及び前記排気装置が設けられており、前記各住戸の屋根裏空間ごとに前記屋根裏通路が設けられていることを特徴とする。
【００１４】
集合住宅では、各住戸の屋根裏空間が界壁により仕切られているため、各住戸の屋根裏空間ごとに換気を行う必要がある。そのため、屋根裏にファン等の換気装置を設けて強制換気を行う場合には、各住戸の屋根裏空間ごとに換気装置を設ける必要があり、著しいコストの増大を招くおそれがある。その点本発明では、各住戸の屋根裏空間ごとに屋根裏通路が設けられ、それら各屋根裏通路を通じて各住戸の屋根裏の空気が排気装置により屋外へ排出される。そのため、各住戸の屋根裏空間ごとに換気装置を設けなくても、つまりかかる換気装置の設置に伴うコスト増大を回避しながら、各住戸の屋根裏を好適に換気することができる。
【００１５】
第５の発明の建物の換気設備は、第４の発明において、前記屋根部には、前記各住戸の屋根裏空間に屋外の空気を取り込むための外気取込口が設けられており、前記外気取込口は、平面視にて、前記住戸の屋根裏空間における前記各住戸の並ぶ方向と直交する方向の一方側に配置され、前記屋根裏通路は、その通路端開口が、平面視にて、前記住戸の屋根裏空間における前記直交する方向の他方側にて開口されていることを特徴とする。
【００１６】
各住戸の屋根裏空間が界壁によって仕切られる上述の構成では、各住戸の屋根裏空間に屋外の空気を取り込むための外気取込口を、屋根裏空間における住戸並び方向と直交する方向のいずれかの側にしか確保するのが難しい。そこで本実施形態では、各住戸の屋根裏空間において前記直交する方向の一方側に外気取込口を設定し、他方側に屋根裏通路の通路端開口を設定している。この場合、屋根裏空間には前記直交する方向の一方側（外気取込口）から屋外の空気が取り込まれ、その空気が同方向の他方側（通路端開口）から屋根裏空間の外部へ排出される。そのため、屋根裏空間において屋外の空気を前記直交する方向の全域に亘って通すことができ、屋根裏空間を広範囲に亘って換気することができる。
【００１７】
第６の発明の建物の換気設備は、第５の発明において、前記集合住宅には、前記各住戸の居住空間を囲むように外壁が設けられており、前記排気通路は、前記集合住宅において前記直交する方向の前記他方側に配置された外壁に向けて延びており、かつ当該外壁に設けられた排気口に接続されており、前記屋根裏通路は、当該排気通路に接続されていることを特徴とする。
【００１８】
横並びに複数の住戸が設けられる集合住宅では、各住戸（詳しくはその居住空間）において外壁が二面しか確保できない場合が想定される。すなわち、かかる集合住宅では、住戸の四方のうち二方に隣接する住戸が配置される場合があり、その場合残りの二方すなわち住戸並び方向と直交する方向（の両側）にしか外壁が設定されない。このような構成では、排気通路を前記直交する方向の両外壁のうちいずれかの外壁まで延ばし、当該外壁に設けた排出口より屋外へ空気を排出することになる。
【００１９】
このような事情の下、本発明では、第５の発明の屋根裏通路、すなわち通路端開口が屋根裏空間において住戸並び方向と直交する方向の他方側（すなわち外気取込口とは反対側）に設定された屋根裏通路を、前記直交する方向の他方側（すなわち通路端開口のある側）に配置された外壁に向けて延びる排気通路に接続している。この場合、屋根裏通路の長さを比較的短くすることができるため、屋根裏通路の取り回しを簡素化しながら上記第５の発明の効果を得ることができる。
【００２０】
第７の発明の建物の換気設備は、第６の発明において、前記集合住宅は、前記各住戸の並ぶ方向に沿って延びるとともに、それら各住戸に通じる共用廊下を備え、前記共用廊下は、前記排気口が設けられた前記外壁に隣接して設けられており、前記屋根部は、前記共用廊下の上方に張り出した屋根張出部を有しており、前記屋根張出部には、前記共用廊下上の屋根裏空間が形成されており、前記共用廊下上の屋根裏空間は、前記共用廊下に沿って延びており、前記各住戸の屋根裏空間とそれぞれ隣接しており、前記屋根部には、前記各住戸の屋根裏空間と前記共用廊下上の屋根裏空間とを仕切る耐火壁部が設けられていることを特徴とする。
【００２１】
集合住宅では、一般に、各住戸の屋根裏空間を仕切る界壁により屋根裏を通じた住戸間の延焼が防止されている。また、共用廊下を有する集合住宅では、屋根部が共用廊下の上方まで張り出しているため、屋根裏の延焼がその張出部分（屋根張出部）を経由して共用廊下へ拡がり、さらには共用廊下を通じて他の住戸へと拡がるおそれがある。そこで、本発明では、この点に鑑みて、各住戸の屋根裏空間と、屋根張出部に形成された共用廊下上の屋根裏空間との間に耐火壁部を設けている。この場合、共用廊下上の屋根裏空間への延焼ひいては共用廊下への延焼を防止することができるため、共用廊下を通じた他の住戸への延焼を防止することができる。そのため、防火性能の向上を図ることができる。
【００２２】
また、かかる構成では、屋根裏に取り込まれた屋外の空気を共用廊下上の屋根裏空間まで導くことが困難であるため、取り込まれた空気を上記屋根裏空間から共用廊下（ひいては屋外）へ向けて排出するのが難しい。この点本発明では、上記のとおり、取り込まれた空気を屋根裏通路及び排気通路を通じて屋外に排出しているため、耐火壁部が設けられる構成であっても、各住戸の屋根裏空間を好適に換気することができる。よって、この場合、防火性能の向上を図りながら、各住戸の屋根裏を好適に換気することができる。
【図面の簡単な説明】
【００２３】
【図１】（ａ）は集合住宅の外観を示す正面図であり、（ｂ）は集合住宅の二階部分を示す平面図である。
【図２】集合住宅の全体を示す概略縦断面図。
【図３】屋根部を示す横断面図。
【図４】二階住戸の換気設備周辺を示す縦断面図。
【発明を実施するための形態】
【００２４】
以下に、本発明を具体化した一実施の形態について図面を参照しつつ説明する。本実施形態の建物は、複数の住戸を有する二階建ての集合住宅（例えばアパート）として具体化されている。図１において（ａ）は集合住宅の外観を示す正面図であり、（ｂ）は集合住宅の二階部分を示す平面図である。
【００２５】
図１（ａ）に示すように、集合住宅１０は、下階部としての一階部分１１と、上階部としての二階部分１２と、二階部分１２の上方に配設された屋根部１３とを備える。一階部分１１には複数の住戸１５（以下、一階住戸１５という）が横並びに設けられており、具体的には３つの一階住戸１５が横並びに設けられている。また、二階部分１２にも同様に、複数の住戸１６（以下、二階住戸１６という）が横並びで設けられており、具体的には３つの二階住戸１６が横並びで設けられている。
【００２６】
集合住宅１０には、各住戸１５，１６へ出入りする際に用いられる共用部が設けられている。本実施形態では、共用部が集合住宅１０の北面側に設けられている。共用部としては、一階部分１１に設けられた一階廊下部１７と、二階部分１２に設けられた二階廊下部１８と、一階廊下部１７と二階廊下部１８とを連絡する階段部１９とがある。一階廊下部１７は、各一階住戸１５に通じており、各一階住戸１５の並ぶ方向に沿って延びている。二階廊下部１８は、各二階住戸１６に通じており、各二階住戸１６の並ぶ方向に沿って延びている。各一階住戸１５の並ぶ方向と、各二階住戸１６の並ぶ方向とはいずれも同じ方向であり、以下においてはこの方向を住戸並び方向ともいう。
【００２７】
図１（ｂ）に示すように、集合住宅１０の外周部には外壁部２９が設けられている。外壁部２９は、各住戸１５，１６を四方から囲むようにして設けられている。具体的には、外壁部２９として、集合住宅１０の北側に外壁部２９ａが設けられ、西側に外壁部２９ｂが設けられ、南側に外壁部２９ｃが設けられ、東側に外壁部２９ｄが設けられている。各外壁部２９ａ〜２９ｄのうち、西側及び東側の各外壁部２９ｂ，２９ｄは集合住宅１０における住戸並び方向の両側に設けられており、その外壁面が同方向を向いている。また、北側及び南側の各外壁部２９ａ，２９ｃは、集合住宅１０における住戸並び方向と直交する方向の両側に設けられており、その外壁面が同方向を向いている。また、北側の外壁部２９ａは一階廊下部１７及び二階廊下部１８に面して設けられており、それら各廊下部１７，１８と各住戸１５，１６との間を仕切っている。
【００２８】
二階部分１２では、隣り合う二階住戸１６（詳しくはその居住空間）同士が界壁２８（戸境壁）によって互いに仕切られている。界壁２８は、優れた耐火性能を有する石膏ボードを含んで構成されている。この界壁２８により二階住戸１６間における耐火性能が確保されている。なお、図示は省略するが、一階住戸１５同士の間にも、同様の界壁が設けられている。
【００２９】
各二階住戸１６はそれぞれ、居住空間として、玄関２１と、廊下２２と、ＬＤＫ２３と、和室２４と、浴室２５と、洗面室２６と、トイレ２７とを備えている。玄関２１は、外壁部２９ａに設けられた玄関口３１を介して二階廊下部１８と連通している。これにより、二階廊下部１８から玄関２１ひいては二階住戸１６への出入りが可能となっている。また、玄関口３１には玄関ドア３２が設けられている。また、各居住空間２１〜２７のうち、洗面室２６とトイレ２７とは外壁部２９ａに隣接して設けられている。
【００３０】
なお、図示は省略するが、一階住戸１５の間取りは基本的に二階住戸１６の間取りと同じとなっており、詳しくは二階住戸１６の間取りと住戸並び方向において対称の間取りとなっている。
【００３１】
集合住宅１０には、各住戸１５，１６ごとに住戸１５，１６内の換気を行う換気設備が設けられている。以下、かかる換気設備について図２に基づいて説明する。図２は、集合住宅１０の全体を示す概略縦断面図である。
【００３２】
図２に示すように、各住戸１５，１６では、浴室２５がバスユニット（浴室ユニット）により形成されている。バスユニットは、壁部、天井部及び床部を有する箱状とされ、その内部に浴槽等が組み込まれることにより形成されている。このバスユニットの内部空間により浴室２５が形成されている。浴室２５では、その天井部３４（バスユニットの天井部）が通常（通常高さ）の天井部３５よりも低い位置に設けられており、いわゆる下がり天井となっている。
【００３３】
浴室２５の天井裏には換気設備４０が設けられている。換気設備４０は、浴室２５の空気を屋外へ排出する換気装置４１を備える。換気装置４１は、浴室２５の天井部３４の上方空間、詳しくは浴室２５の天井部３４とその上方の天井部３５との間の空間（以下、天井裏空間３６という）に設置されている。
【００３４】
換気装置４１には、外壁部２９ａに向けて延びる排気ダクト４２が接続されている。排気ダクト４２は、外壁部２９ａに形成された孔部４５に挿通され、その挿通状態で外壁部２９ａの外壁面（二階廊下部１８側の面）に設けられた排気グリル４３に接続されている。また、換気装置４１には、浴室２５の天井部３４に設けられた吸込グリル４４が接続されている。なお、排気グリル４３が排気口に相当し、吸込グリル４４が取込口に相当する。
【００３５】
換気装置４１は、その内部に排気ファン４６を有している。排気ファン４６は、プロペラファンやシロッコファン等の送風機よりなる。なお、排気ファン４６が排気装置に相当する。排気ファン４６を作動させると、浴室２５の空気が吸込グリル４４より換気装置４１内に取り込まれ、その取り込まれた空気が排気ダクト４２を通じて排気グリル４３へ導かれる。そして、その導かれた空気が排気グリル４３より二階廊下部１８ひいては屋外に排出される。このようにして、浴室２５の換気ひいては住戸１５，１６内（居住空間）の換気が行われるようになっている。なお、本実施形態では、この換気装置４１が常時作動するものとなっており、それによって２４時間換気が行われるようになっている。
【００３６】
ところで、本実施形態では、上述した換気設備４０を利用して、さらに集合住宅１０の屋根裏の換気を行うこととしている。本実施形態では、その点に特徴を有しており、以下においては、かかる特徴的な構成について図２に加え図３及び図４を用いて説明する。なお、図３は屋根部を示す横断面図であり、図４は二階住戸１６の換気設備４０周辺を示す縦断面図である。
【００３７】
図２及び図３に示すように、集合住宅１０の屋根部１３は寄せ棟式の屋根となっており、その屋根部１３には各二階住戸１６の屋根裏空間４８（小屋裏空間）が形成されている。各二階住戸１６の屋根裏空間４８はそれぞれ、各二階住戸１６の居住空間２１〜２７の上方に形成されている。この場合、各二階住戸１６では、屋根裏空間４８と居住空間２１〜２７とが（通常の）天井部３５を隔てて上下に隣接している。
【００３８】
各二階住戸１６の屋根裏空間４８は住戸並び方向に並んで配置されている。隣り合う屋根裏空間４８同士は界壁４９によって互いに仕切られている。界壁４９は、隣り合う二階住戸１６の居住空間２１〜２７同士を仕切る界壁２８と上下に並ぶように配置されている。界壁４９は、界壁２８と同様、優れた耐火性能を有する石膏ボードを含んで構成されている。この界壁４９によって隣り合う二階住戸１６の屋根裏空間４８の間の耐火性能が確保されている。
【００３９】
屋根部１３は、外壁部２９ａよりも屋外側に張り出した軒部１３ａを有している。軒部１３ａは、二階廊下部１８を上方から覆うようにして設けられている。なお、軒部１３ａが屋根張出部に相当する。軒部１３ａには、二階廊下部１８の上方に屋根裏空間５１が形成されている。屋根裏空間５１は、二階廊下部１８に沿って延びており、各二階住戸１６の屋根裏空間４８とそれぞれ隣接している。
【００４０】
屋根裏空間５１は、各二階住戸１６の屋根裏空間４８と仕切壁部５２によって仕切られている。仕切壁部５２は、各屋根裏空間４８と屋根裏空間５１との間の境界部全域に亘って延びており、各界壁４９とそれぞれ連結されている。仕切壁部５２は外壁部２９ａと上下に並ぶように配置されており、仕切壁部５２の壁面と外壁部２９ａの壁面とは互いに平行となっている。仕切壁部５２は、界壁２８，４９と同様、優れた耐火性能を有する石膏ボードを含んで構成されている。この仕切壁部５２によって、各屋根裏空間４８，５１の間の耐火性能が確保されている。なお、仕切壁部５２が耐火壁部に相当する。
【００４１】
続いて、各二階住戸１６の屋根裏空間４８の換気を行うための構成について説明する。
【００４２】
集合住宅１０の外壁部２９ｃは、互いに対向する外壁面材５６及び内壁面材５７を有している。それら各壁面材５６，５７の間には上下に延びる通気通路５５が形成されている。通気通路５５は、その下端部が屋外に開放され、その上端部が各二階住戸１６の屋根裏空間４８に通じている。これにより、屋外の空気が通気通路５５を通じて各屋根裏空間４８に取り込まれるようになっている。
【００４３】
具体的には、通気通路５５の上端は各二階住戸１６の屋根裏空間４８に開口された開口部となっており、その開口部がそれら各屋根裏空間４８へ屋外の空気を取り込むための取込口５５ａ（外気取込口に相当）となっている。取込口５５ａは、各二階住戸１６の屋根裏空間４８に跨がって延びており、その共通の取込口５５ａより各屋根裏空間４８に屋外の空気が取り込まれるようになっている。また、取込口５５ａは、屋根裏空間４８において南側に設定されており、換言すると住戸並び方向と直交する方向における一方側に設定されている。なお、取込口５５ａは、各屋根裏空間４８ごとに個別に設けられていてもよい。
【００４４】
続いて、屋根裏空間４８に取り込まれた空気を屋外へ排出するための構成について説明する。
【００４５】
図４に示すように、換気装置４１は、直方体状のチャンバからなる本体部４１ａを有しており、その本体部４１ａの内部に排気ファン４６が配設されている。排気ファン４６は、本体部４１ａにおいて排気ダクト４２側に配置されている。この場合、本体部４１ａ（の内部空間）と排気ダクト４２（の内部通路）とにより排気通路５０が形成されており、この排気通路５０が浴室２５から二階廊下部１８（ひいては屋外）へと通じている。
【００４６】
換気装置４１（本体部４１ａ）には、二階住戸１６の屋根裏空間４８に通じる屋根裏ダクト６１が接続されている。屋根裏ダクト６１は、本体部４１ａにおける排気ダクト４２側とは反対側に接続されている。この場合、屋根裏ダクト６１は、本体部４１ａの内部にて空気が流れる方向における排気ファン４６よりも上流側（換言すると排気ファン４６の吸込側）で本体部４１ａと接続されている。
【００４７】
屋根裏ダクト６１は、その途中で上方に折れ曲がり屋根裏空間４８に向けて延びている。具体的には、屋根裏ダクト６１は、天井部３５に形成された孔部６２を通じて天井裏空間３６から屋根裏空間４８へ延びている。なお、天井部３５は耐火性能を有する石膏ボードにより構成され、その上方に設けられた複数の野縁５９により支持されている。
【００４８】
孔部６２において屋根裏ダクト６１の外周部にはグラスウール等の不燃材６３が設けられている。不燃材６３は、屋根裏ダクト６１の外周面を囲むように設けられ、孔部６２の内周面と屋根裏ダクト６１の外周面との隙間を塞いでいる。これにより、当該隙間を通じた延焼を抑制することができる。
【００４９】
屋根裏ダクト６１の上端部には、屋根裏空間４８に向けて開口する開口部６１ａが形成されている。開口部６１ａは、屋根裏空間４８において北側に位置しており、換言すると住戸並び方向と直交する方向における他方側つまり取込口５５ａ側とは反対側に位置している。なお、屋根裏ダクト６１によって屋根裏通路が形成されている。また、開口部６１ａが屋根裏通路の通路端開口に相当する。
【００５０】
上述した構成によれば、屋外の空気が外壁部２９ｃの通気通路５５を通じて二階住戸１６の屋根裏空間４８に取り込まれると、その取り込まれた空気が屋根裏空間４８から屋根裏ダクト６１を通じて換気設備４０の排気ダクト４２（換言すると排気通路５０）へと導かれる（図２及び図４参照）。そして、排気ダクト４２へ導かれた空気は浴室２５（ひいては居住空間２１〜２７）の空気とともに同ダクト４２を通じて屋外へ排出される。また、排気ダクト４２内（ひいては排気通路５０）には、排気ファン４６による屋外へ向けた空気流が生じているため、その空気流により屋根裏空間４８の空気が排気ダクト４２へ積極的に導かれ（引き込まれ）、ひいては屋外へ積極的に排出される。
【００５１】
以上、詳述した本実施形態の構成によれば、以下の優れた効果が得られる。
【００５２】
二階住戸１６の屋根裏空間４８に通じる屋根裏ダクト６１を換気設備４０詳しくは換気装置４１（本体部４１ａ）に接続することで、屋根裏空間４８の空気を屋根裏ダクト６１を通じて換気設備４０内の排気通路５０に導くようにした。この場合、上述したように、排気通路５０において排気ファン４６により生じる屋外へ向かう空気流を利用して屋根裏空間４８の空気を排気通路５０に積極的に導くことができ、ひいては屋外に排出することができる。そのため、自然対流の発生しにくい環境下であっても屋根裏空間４８を好適に換気することができる。また、浴室２５（ひいては居住空間２１〜２７）の換気を行う換気設備４０を利用して屋根裏空間４８の換気を行うようにしているため、屋根裏空間４８に別途ファン等の換気装置を設けなくても、屋根裏空間４８を好適に換気することができる。
【００５３】
屋根裏ダクト６１を、換気設備４０内（排気通路５０）の空気流れ方向における排気ファン４６よりも上流側（換言すると排気ファン４６の吸込側）で換気設備４０（具体的には換気装置４１）に接続したため、屋根裏空間４８の空気を屋根裏ダクト６１を介して排気ファン４６により直接排気通路５０へ引き込むことができる。この場合、屋根裏空間４８の空気をより積極的に排気通路５０に導くことができ、ひいては屋外に排出することができる。そのため、屋根裏空間４８をより好適に換気することができる。
【００５４】
浴室２５に空気の取込口としての吸込グリル４４が設定された換気設備４０（排気通路５０）に屋根裏ダクト６１を接続した。浴室２５用の換気設備４０は２４時間換気に用いられているため、この場合換気設備４０を利用した屋根裏空間４８の換気を常時行うことが可能となる。そのため、換気設備を利用した屋根裏換気を行う上で実用上好ましい構成といえる。
【００５５】
集合住宅１０において横並びに設けられた各二階住戸１６の居住空間２１〜２７ごとに換気設備４０（換気装置４１及び排気ダクト４２）を設け、各二階住戸１６の屋根裏空間４８ごとに屋根裏ダクト６１を設けた。この場合、各二階住戸１６の屋根裏空間４８の空気はそれら各屋根裏ダクト６１を介して排気ファン４６により屋外に排出される。そのため、各屋根裏空間４８ごとに換気ファン等の換気装置を設けなくても、それら屋根裏空間４８を好適に換気することができる。これにより、各屋根裏空間４８への換気装置の設置に伴う著しいコスト増大を回避しながら、各二階住戸１６の屋根裏を好適に換気することができる。
【００５６】
各二階住戸１６の屋根裏空間４８へ屋外の空気を取り込むための取込口５５ａを屋根裏空間４８において住戸並び方向と直交する方向における一方側（具体的には住宅南側）に設定し、屋根裏ダクト６１の開口部６１ａを屋根裏空間４８において前記直交する方向における他方側（具体的には住宅北側）に設定した。この場合、屋根裏空間４８には前記直交する方向の一方側（取込口５５ａ）から屋外の空気が取り込まれ、その空気が同方向の他方側（開口部６１ａ）から屋根裏空間４８の外部へ排出される。そのため、屋根裏空間４８において屋外の空気を前記直交する方向の全域に亘って通すことができ、屋根裏空間４８を広範囲に亘って換気することができる。
【００５７】
横並びに複数の住戸１５，１６が設けられる上記の集合住宅１０では、各住戸１５，１６のうち少なくとも中間部の住戸１５，１６においては外壁部２９が二面しか確保することできない。すなわち、かかる住戸１５，１６では、住戸並び方向と直交する方向（の両側）にしか外壁部２９ａ，２９ｃが設定されない。このような構成では、換気設備４０（排気ダクト４２）を前記直交する方向の両外壁部２９ａ，２９ｃのうちいずれかの外壁部２９ａ，２９ｃまで延ばし、当該外壁部２９ａ，２９ｃに設けた排気グリル４３より屋外へ空気を排出することになる。
【００５８】
このような事情の下、上記の実施形態では、開口部６１ａが屋根裏空間４８において住戸並び方向と直交する方向の他方側（すなわち取込口５５ａとは反対側）に設定された屋根裏ダクト６１を、前記直交する方向の他方側（すなわち開口部６１ａのある側）に配置された外壁部２９ａに向けて延びる換気設備４０（排気通路５０）に接続している。この場合、屋根裏ダクト６１の長さを比較的短くすることができるため、屋根裏ダクト６１の取り回しを簡素化しながら、屋根裏空間４８を広範囲に亘って換気することができる。
【００５９】
屋根部１３において二階廊下部１８の上方に張り出した軒部１３ａには二階廊下部１８上の屋根裏空間５１が形成され、その屋根裏空間５１は二階廊下部１８に沿って延びているとともに各二階住戸１６の居住空間２１〜２７と隣接している。そして、かかる構成にあって、屋根部１３には、各二階住戸１６の屋根裏空間４８と二階廊下部１８上の屋根裏空間５１とを仕切る耐火性能を有する仕切壁部５２を設けた。これにより、二階住戸１６の屋根裏空間４８から二階廊下部１８上の屋根裏空間５１への延焼を防止することができ、ひいては同屋根裏空間５１から二階廊下部１８を通じて他の二階住戸１６へ延焼が拡がるのを防止することができる。そのため、防火性能の向上を図ることができる。
【００６０】
また、かかる構成では、屋根裏空間４８に取り込まれた屋外の空気を屋根裏空間５１まで導くことが困難であるため、取り込まれた空気を上記屋根裏空間５１から二階廊下部１８（ひいては屋外）へ向けて排出するのが難しい。この点上記の実施形態では、取り込まれた空気を屋根裏ダクト６１及び換気設備４０内（排気通路５０）を通じて屋外に排出するようにしているため、仕切壁部５２が設けられる構成にあっても、各二階住戸１６の屋根裏空間４８を好適に換気することができる。よって、この場合、防火性能の向上を図りながら、各二階住戸１６の屋根裏を好適に換気することができる。
【００６１】
本発明は上記実施形態に限らず、例えば次のように実施されてもよい。
【００６２】
（１）上記実施形態では、屋根裏ダクト６１を換気装置４１（本体部４１ａ）に接続したが、これを変更して、屋根裏ダクト６１を排気ダクト４２に接続してもよい。その場合でも、排気ダクト４２を流れる空気流によって屋根裏空間４８の空気を排気ダクト４２に積極的に導くことができ、ひいては屋外へ積極的に排出することができる。そのため、屋根裏空間４８の換気を好適に行うことができる。
【００６３】
（２）上記実施形態では、浴室２５用の換気設備４０を利用して屋根裏空間４８の換気を行ったが、洗面室２６やトイレ２７に設けられた換気設備を利用して屋根裏空間４８の換気を行ってもよい。洗面室２６やトイレ２７の換気設備も、浴室２５用の換気設備と同様に、２４時間換気に用いられることが多いため、この場合にも換気設備を利用した屋根裏空間４８の換気を常時行うことが可能となる。
【００６４】
また、キッチンに設けられた換気設備等、他の居住空間に設けられた換気設備を利用して屋根裏空間４８の換気を行ってもよい。
【００６５】
（３）上記実施形態では、屋根裏ダクト６１の開口部６１ａを、屋根裏空間４８において住戸並び方向と直交する方向における取込口５５ａとは反対側に設定したが、屋根裏空間４８における開口部６１ａの位置は必ずしもこれに限定されない。例えば、屋根裏ダクト６１の開口部６１ａを、屋根裏空間４８において前記直交する方向における取込口５５ａと同じ側に設定してもよい。
【００６６】
（４）上記実施形態では、北側の外壁部２９ａに排気グリル４３が設けられた換気設備４０、換言すると北側の外壁部２９ａに向かって排気通路５０が延びる換気設備４０に屋根裏ダクト６１を接続したが、これを変更してもよい。例えば、南側の外壁部２９ｃに排気グリル４３が設けられた換気設備、換言すると南側の外壁部２９ｃに向かって排気通路が延びる換気設備に屋根裏ダクト６１を接続してもよい。また、各二階住戸１６のうち両端の二階住戸１６については西側の外壁部２９ｂ又は東側の外壁部２９ｄに排気グリル４３を設けることが可能であるため、かかる排気グリル４３を有する換気設備に屋根裏ダクト６１を接続するようにしてもよい。
【００６７】
（５）上記実施形態では、３つの住戸１５，１６が横並びに設けられた集合住宅１０に本発明の換気設備を適用したが、２つ又は４つ以上の住戸１５，１６が横並びに設けられた集合住宅に本発明を適用してもよい。
【００６８】
また、上記実施形態では、二階建ての集合住宅１０における二階住戸１６に本発明を適用したが、例えば一階建ての集合住宅における一階住戸に本発明を適用したり、三階建ての集合住宅における三階住戸に本発明を適用したりしてもよい。要するに、最上階にあって屋根裏を有する住戸であれば、本発明を適用することができる。
【００６９】
さらに、上記実施形態では、集合住宅１０としてアパートを想定し、そのアパートに本発明を適用したが、マンション等、アパート以外の集合住宅に本発明を適用してもよい。また、戸建ての住宅等、集合住宅以外の建物に本発明を適用してもよい。
【符号の説明】
【００７０】
１０…建物としての集合住宅、１３…屋根部、１３ａ…屋根張出部としての軒部、１６…住戸としての二階住戸、１８…共用廊下としての二階廊下部、２５…浴室、２９ａ〜２９ｄ…外壁としての外壁部、４０…換気設備、４２…排気ダクト、４６…排気装置としての排気ファン、４８…屋根裏空間、５０…排気通路、５１…屋根裏空間、５２…耐火壁部としての仕切壁部、５５ａ…外気取込口としての取込口、６１…屋根裏ダクト。
【図１】
2015203547.tif 000003
【図２】
2015203547.tif 000004
【図３】
2015203547.tif 000005
【図４】
2015203547.tif 000006